(57)【要約】【課題】操作者が画面上に表示されている設定項目について設定しようとするパラメータを画面上の所定位置に触れることで選択操作するタッチパネル式のパラメータ設定装置において、画面に表示される設定項目が多い場合でもその項目に対するパラメータ設定操作を確実に行なえるようにする。【解決手段】表示器２１の表面に重ね合わされた操作パネル３０を有するパラメータ設定装置において、表示器２１の画面上で上下に隣接表示された設定項目ｋ（１，１）、ｋ（１，２）に対応するそれぞれの操作エリアＥ（１，１）、Ｅ（１，２）を、各設定項目の側方位置で且つ縦方向に非重複となるように横方向にずらして割当て、その横方向にずらされた操作エリア内に、タッチ操作の目標となるマークＭ（１，１）、Ｍ（１，２）を表示している。【選択図】図２
2015069213.tif 000002
【特許請求の範囲】
【請求項１】
表示器（２１）と、
前記表示器の画面に重ね合わされ、表面からタッチ操作された位置の情報を出力する操作パネル（３０）と、
前記表示器の画面に複数の設定項目を縦並びに表示する設定項目表示手段（４０）と、
前記操作パネルの表面のうち、前記表示器の画面に表示されている設定項目それぞれについてのパラメータ設定のための操作エリアを、該当設定項目の側方の領域にそれぞれ割当てる操作エリア割当手段（４１）と、
前記複数の設定項目それぞれについてのパラメータ設定を行なうためのタッチ操作の目標となるマークを当該設定項目に割当てられた前記操作エリア内にそれぞれ表示し、該操作エリアに対するタッチ操作がなされた際に当該設定項目に対して設定可能なパラメータのいずれか設定させるパラメータ設定手段（４２）と、
前記複数の設定項目と該複数の設定項目それぞれについて設定されたパラメータとを対応付けて登録する設定パラメータ登録手段（４３）とを備えたパラメータ設定装置において、
前記操作エリア割当手段は、前記表示器の画面上で上下に隣接表示された設定項目に対応するそれぞれの操作エリアを、各設定項目の側方位置で且つ縦方向に非重複となるように横方向にずらして設定し、
前記パラメータ設定手段は、前記横方向にずらして設定された操作エリア内にタッチ操作の目標となるマークの表示を行なうことを特徴とするパラメータ設定装置。
【請求項２】
前記操作エリア割当手段は、前記横方向にずらした各操作エリアの高さ寸法を対応する設定項目の欄の高さ寸法より大きく設定することを特徴とする請求項１記載のパラメータ設定装置。
【請求項３】
前記パラメータ設定手段は、上下に隣接する前記設定項目にそれぞれ対応する前記マークが表示される領域の背景を色の違いあるいは濃淡で区別表示することを特徴とする請求項１または請求項２記載のパラメータ設定装置。
【請求項４】
前記パラメータ設定手段は、上下に隣接する前記設定項目にそれぞれ対応する前記マークを色の違いあるいは濃淡で区別表示することを特徴とする請求項１〜３のいずれかに記載のパラメータ設定装置。
【請求項５】
表示器（２１）と、
前記表示器の画面に重ね合わされ、表面からタッチ操作された位置の情報を出力する操作パネル（３０）と、
前記表示器の画面に複数の設定項目を縦並びに表示する設定項目表示手段（４０）と、
前記操作パネルの表面のうち、前記表示器の画面に表示されている設定項目それぞれについてのパラメータ設定のための操作エリアを、該当設定項目の側方の領域にそれぞれ割当てる操作エリア割当手段（４１）と、
前記複数の設定項目それぞれについてのパラメータ設定を行なうためのタッチ操作の目標となるマークを当該設定項目に割当てられた前記操作エリア内にそれぞれ表示し、該操作エリアに対するタッチ操作がなされた際に当該設定項目に対して設定可能なパラメータのいずれか設定させるパラメータ設定手段（４２）と、
前記複数の設定項目と該複数の設定項目それぞれについて設定されたパラメータとを対応付けて登録する設定パラメータ登録手段（４３）とを備えたパラメータ設定装置のパラメータ設定方法において、
前記操作エリア割当手段が、前記表示器の画面上で上下に隣接表示された設定項目に対応するそれぞれの操作エリアを、各設定項目の側方位置で且つ縦方向に非重複となるように横方向にずらして設定し、
前記パラメータ設定手段が、前記横方向にずらして設定された操作エリア内にタッチ操作の目標となるマークの表示を行なうことを特徴とするパラメータ設定方法。
【発明の詳細な説明】
【技術分野】
【０００１】
本発明は、各種測定器、各種通信器等のような電子機器で、測定条件や通信条件等の各種パラメータを設定する技術に関し、特に、表示画面上に透明な操作パネルが重ね合わせられ、操作者が画面上に表示されている設定項目について設定しようとするパラメータを画面上の所定位置に触れることで選択操作するタッチパネル式のパラメータ設定装置において、画面に表示される設定項目が多い場合でもその項目に対するパラメータ設定操作を確実に行なえるようにするための技術に関する。
【背景技術】
【０００２】
各種の測定器や通信機器は、年々多機能化しており、それに伴い動作に必要な設定項目およびその項目について設定可能なパラメータの種類も非常に多くなり、これらの設定操作を、面積が限られた操作パネルに設けたツマミや押しボタンなどによって行なうことは困難である。
【０００３】
これを解決する技術として、表示器と操作部が一体化したタッチパネル式の表示／操作器を採用した測定器や通信機器が実現されており（例えば特許文献１）、そのパラメータ設定処理として、例えば特許文献２のように、その表示面に、設定したい設定項目の一覧を縦一列に表示し、各設定項目の横隣にパラメータの設定を行なうために操作するマーク等を表示し、使用者が所望の設定項目の横に表示されたマークをタッチすることで、その項目についてのパラメータ設定が行なえるようにしたものが実用化されている。
【先行技術文献】
【特許文献】
【０００４】
【特許文献１】特開平３−２９１５２４号公報
【特許文献２】特開２０１０−５５３５１号公報
【発明の概要】
【発明が解決しようとする課題】
【０００５】
しかしながら、限られた表示面積に多数の設定項目を縦一列に表示すると、必然的に各項目に割当て可能な高さ寸法が小さくなり、その項目の側方で上下に並んだパラメータ設定用の操作エリアの上下幅が小さくなり、上下の設定項目の押し間違いが多発する。
【０００６】
これを解決するために、一画面に表示する設定項目の数を減らして、設定項目毎に割当て可能な操作エリアの高さ寸法を大きくすると、多数の設定項目がある場合に、画面のスクロール操作やページ送り操作をしないと目的の設定項目を見つけられないという不便さが生じる。
【０００７】
本発明は、この問題を解決し、縦に並んだ設定項目が多い場合でも、少ない押し間違いでパラメータ設定が可能なパラメータ設定装置を提供することを目的としている。
【課題を解決するための手段】
【０００８】
前記目的を達成するために、本発明の請求項１のパラメータ設定装置は、
表示器（２１）と、
前記表示器の画面に重ね合わされ、表面からタッチ操作された位置の情報を出力する操作パネル（３０）と、
前記表示器の画面に複数の設定項目を縦並びに表示する設定項目表示手段（４０）と、
前記操作パネルの表面のうち、前記表示器の画面に表示されている設定項目それぞれについてのパラメータ設定のための操作エリアを、該当設定項目の側方の領域にそれぞれ割当てる操作エリア割当手段（４１）と、
前記複数の設定項目それぞれについてのパラメータ設定を行なうためのタッチ操作の目標となるマークを当該設定項目に割当てられた前記操作エリア内にそれぞれ表示し、該操作エリアに対するタッチ操作がなされた際に当該設定項目に対して設定可能なパラメータのいずれか設定させるパラメータ設定手段（４２）と、
前記複数の設定項目と該複数の設定項目それぞれについて設定されたパラメータとを対応付けて登録する設定パラメータ登録手段（４３）とを備えたパラメータ設定装置において、
前記操作エリア割当手段は、前記表示器の画面上で上下に隣接表示された設定項目に対応するそれぞれの操作エリアを、各設定項目の側方位置で且つ縦方向に非重複となるように横方向にずらして設定し、
前記パラメータ設定手段は、前記横方向にずらして設定された操作エリア内にタッチ操作の目標となるマークの表示を行なうことを特徴とする。
【０００９】
また、本発明の請求項２のパラメータ設定装置は、請求項１記載のパラメータ設定装置において、
前記操作エリア割当手段は、前記横方向にずらした各操作エリアの高さ寸法を対応する設定項目の欄の高さ寸法より大きく設定することを特徴とする。
【００１０】
また、本発明の請求項３のパラメータ設定装置は、請求項１または請求項２記載のパラメータ設定装置において、
前記パラメータ設定手段は、上下に隣接する前記設定項目にそれぞれ対応する前記マークが表示される領域の背景を色の違いあるいは濃淡で区別表示することを特徴とする。
【００１１】
また、本発明の請求項４のパラメータ設定装置は、請求項１〜３のいずれかに記載のパラメータ設定装置において、
前記パラメータ設定手段は、上下に隣接する前記設定項目にそれぞれ対応する前記マークを色の違いあるいは濃淡で区別表示することを特徴とする。
【００１２】
また、本発明の請求項５のパラメータ設定方法は、
表示器（２１）と、
前記表示器の画面に重ね合わされ、表面からタッチ操作された位置の情報を出力する操作パネル（３０）と、
前記表示器の画面に複数の設定項目を縦並びに表示する設定項目表示手段（４０）と、
前記操作パネルの表面のうち、前記表示器の画面に表示されている設定項目それぞれについてのパラメータ設定のための操作エリアを、該当設定項目の側方の領域にそれぞれ割当てる操作エリア割当手段（４１）と、
前記複数の設定項目それぞれについてのパラメータ設定を行なうためのタッチ操作の目標となるマークを当該設定項目に割当てられた前記操作エリア内にそれぞれ表示し、該操作エリアに対するタッチ操作がなされた際に当該設定項目に対して設定可能なパラメータのいずれか設定させるパラメータ設定手段（４２）と、
前記複数の設定項目と該複数の設定項目それぞれについて設定されたパラメータとを対応付けて登録する設定パラメータ登録手段（４３）とを備えたパラメータ設定装置のパラメータ設定方法において、
前記操作エリア割当手段が、前記表示器の画面上で上下に隣接表示された設定項目に対応するそれぞれの操作エリアを、各設定項目の側方位置で且つ縦方向に非重複となるように横方向にずらして設定し、
前記パラメータ設定手段が、前記横方向にずらして設定された操作エリア内にタッチ操作の目標となるマークの表示を行なうことを特徴とする。
【発明の効果】
【００１３】
このように、本発明では、表示器の画面上で上下に隣接表示された設定項目に対応するそれぞれの操作エリアを、各設定項目の側方位置で且つ縦方向に非重複となるように横方向にずらして割当て、その横方向にずらされた操作エリア内にタッチ操作の目標となるマークを表示している。
【００１４】
このため、一画面に表示できる設定項目数を減らすことなく、互いに横方向にずれた操作エリア内に表示されたマークを目標にタッチ操作するので、パラメータ設定操作の際の上下の設定項目に関する押し間違いを未然に防ぐことができる。
【００１５】
また、上下に隣合う設定項目に対する操作エリアが縦方向に非重複で互いに横方向にずれているから、各操作エリアに設定項目の欄の高さより大きな高さ寸法を与えることができ、さらに押し間違いを減らすことができる。
【００１６】
また、上下に隣接する設定項目に対応するそれぞれのマークが表示される領域の背景やマーク自体を色の違いや濃淡で区別表示することで、設定項目とそのパラメータ設定用に操作するマークとの対応が分かりやすくなり、さらに押し間違いを減らすことができる。
【図面の簡単な説明】
【００１７】
【図１】本発明の実施形態の構成図
【図２】実施形態の動作説明図
【図３】実施形態の動作説明図
【図４】本発明の別の表示例を示す図
【図５】本発明の別の表示例を示す図
【図６】本発明の別の表示例を示す図
【図７】本発明の別の表示例を示す図
【図８】本発明の別の表示例を示す図
【発明を実施するための形態】
【００１８】
以下、図面に基づいて本発明の実施の形態を説明する。
図１は、本発明を適用したパラメータ設定装置２０の構成を示している。
【００１９】
このパラメータ設定装置２０は、例えば測定器の各種測定条件や通信機の各種通信条件を設定するためのものである。
【００２０】
測定器としては、携帯電話、スマートフォン等の携帯端末、無線ＬＡＮの送受信器等各種通信機の動作試験を行なう試験装置に適用可能である。
【００２１】
このパラメータ設定装置２０は、表示器２１、操作パネル３０、設定項目表示手段４０、操作エリア割当手段４１、パラメータ設定手段４２、設定パラメータ登録手段４３を有している。
【００２２】
表示器２１は、例えば所定の大きさの矩形画面を有する液晶型表示器であり、その画面表面に、透光性を有するタッチ操作式の操作パネル３０が重ね合わされている。
【００２３】
操作パネル３０の表面には、微小の透明電極（図示せず）が縦横にほぼ隙間なく配列されており、それらに電極に接続された走査回路（図示せず）により電極を走査して、指先で触れた位置の情報を出力するように構成されている。この電極としては圧電式と静電式の場合があるがそのいずれであってもよい。
【００２４】
設定項目表示手段４０は、表示器２１の画面に複数の設定項目の名前を縦並びに表示する。この設定項目は、例えば、各種通信機の動作試験を行なうのに必要な各種の設定項目であり、ここでは、図２に示すようにそれらを大別してＡ１グループ、Ａ２グループ、Ａ３グループ、…とし、それら各グループに属する設定項目をｋ(1,1) 、ｋ(1,2) 、…、ｋ(2,1) 、ｋ(2,2) 、…、ｋ(3,1) 、ｋ(3,2) …とする。
【００２５】
また、操作エリア割当手段４１は、操作パネル３０の表面のうち、表示器２１の画面に表示されている設定項目それぞれについてのパラメータ設定のための操作エリアを、該当する設定項目の側方の領域にそれぞれ割当てるものであるが、単純に各設定項目の欄の高さと同一高さで縦一列に割当てたのでは、一画面に表示する設定項目数が多くなると操作エリアの高さが小さくなって上下の押し間違いが生じる。
【００２６】
これを防ぐために、本実施形態では、図２に点線で示しているように、表示器２１の画面上で上下に隣接表示された設定項目に対応するそれぞれの操作エリアを、縦方向に非重複となるように横方向に交互にずらしている。このように操作エリアを縦方向に重複しないで横にずらし、その操作エリア内にタッチ操作の目標のマークを表示すれば、操作者がそのマークをタッチ操作する際に多少上下にずれた位置を押しても、目標以外のマークに対応する操作エリアが離間しているため、例え操作エリアの高さ寸法が対応する設定項目の欄の高さに等しい場合であっても、異なる設定項目に操作エリアをタッチする確率は非常に少なく、設定項目の押し間違いは起きない。ただし、操作エリア以外の場所をタッチする「空振り」が発生する可能性はある。
【００２７】
また、上記のように上下に隣り合う設定項目についての操作エリアを横にずらしたことで、各操作エリアの高さ寸法を設定項目の欄の高さより大きくでき、そのように操作エリアを設定すれば、押し間違いの発生確率がさらに低くなり、上記「空振り」の発生確率も小さくなる。
【００２８】
図２の割当例は、最上段の設定項目ｋ(1,1) に対応する操作エリアＥ(1,1) が、設定項目ｋ(1,1) の欄に近接してその欄の高さｈより大きな高さｈ′で所定幅ｗの長方形に設定されており、その下の２段目の設定項目ｋ(1,2) に対応する操作エリアＥ(1,2) が、設定項目ｋ(1,2) の側方で且つ、操作エリアＥ(1,1) と縦方向に重複しないように横方向（この例では右側）にずれた位置に操作エリアＥ(1,1) と同じ大きさの長方形で設定されている。
【００２９】
また、次の３段目の設定項目ｋ(1,3) に関しては、設定項目ｋ(1,1) と操作エリアＥ(1,1) の関係と同じ配置で操作エリアＥ(1,3) が割当てられ、同様に４段目の設定項目ｋ(1,4) については、設定項目ｋ(1,2) と操作エリアＥ(1,2) の関係と同じ配置で操作エリアＥ(1,4) が割当てられている。
【００３０】
以下同様に、上下に隣接表示された設定項目に対応するそれぞれの操作エリアが、縦方向に非重複となるように交互に横方向にずらして設定しているので、一つの設定項目当りの操作エリアの高さｈ′は、設定項目欄の高さｈより大きく(最大で２倍まで)確保することができる。
【００３１】
パラメータ設定手段４２は、操作エリア割当手段４１によって上記のように交互に横方向にずらされて割当てられた各操作エリアの範囲情報を受け、その操作エリアの範囲内に設定項目それぞれについてのパラメータ設定を行なうためのタッチ操作の目標となるマークＭ(i,j) （図では三角マーク）をそれぞれ表示する。
【００３２】
ここで、マークＭ(i,j)の方式として、タッチ操作する毎にパラメータが切り換わる方式（トグルスイッチタイプ）、タッチ操作すると設定可能なパラメータが一覧表示され、その中から一つを選択する方式（プルダウンメニュー方式）、タッチ操作するごとにチェックマークの表示／消灯を行い、機能をオンオフさせる方式（チェックボックス方式）、タッチ操作するとキーボードやテンキーが別ウィンドウで表示され、そのキーを操作することで文字や数値を入力可能とする方式があり、そのいずれか、あるいは任意の組合せであってよいが、ここでは、トグルスイッチタイプやプルダウンメニュータイプで説明する。
【００３３】
また、上記マークは、上下に隣合う設定項目に対して色の違いや色の濃淡で区別表示されており、これによってマークの位置が左右にずれていても設定項目との対応関係を直感的に把握できるようにしている。なお、図ではマークを黒塗り三角と白抜き三角に区別表示してするが、これは白と黒の色分けと、明暗の濃淡の両方を含んだ区別表示であり、赤や青の色相による区別表示や、灰色と黒の濃淡による区別表示であってもよい。また、前記したチェックボックスタイプであれば、マーク形状を四角にするのが普通である。
【００３４】
また、このマークＭ(i,j) が表示されている操作エリアのいずれかに対するタッチ操作がなされた際に操作パネル３０で検知される位置情報を受けて、その位置情報がいずれの操作エリアの範囲に含まれるかを特定し、その特定した操作エリアに対応する設定項目について設定可能なパラメータのいずれかを設定させる。このパラメータ設定手段４２は、チェックボックス以外の方式において、少なくとも現状のパラメータを各マークの隣に表示する機能も有している。なお、図示しないがチェックボックスの場合、そのボックスと重なる位置にチェックマークを表示する。
【００３５】
例えば、図２に示しているように、機能をオンするかオフさせるかの設定が必要な設定項目ｋ(1,1) に対応する操作エリアＥ(1,1) 内で設定項目ｋ(1,1) の欄とほぼ同じ高さの中段位置に黒塗り三角のマークＭ(1,1) を表示し、その横に現状のパラメータ「Ｏｎ」を表示する。
【００３６】
ここで、操作者が設定項目ｋ(1,1) に対応するマークＭ(1,1) を目標にして操作エリアＥ(1,1) 内をタッチ操作すると、パラメータ設定手段４２は、図３のように、現状のパラメータの表示を「Ｏｎ」から「Ｏｆｆ」に切り換える。この設定形態は、設定項目に対して設定可能なパラメータの種類が２〜４種類程度と少ない場合（上記例はオンとオフの２種類）に有効である。
【００３７】
また、設定項目ｋ(1,2) のように、一つの設定項目に対して設定可能なパラメータが多い場合で、その白抜き三角のマークＭ(1,2) を目標に操作エリアＥ(1,2) 内をタッチ操作すると、図４の（ａ）のように、設定可能な複数のパラメータＰ（１）〜Ｐ（ｎ）の一覧を表示し、そのいずれかを操作者がタッチ操作で選択すると、現状のパラメータＰ（ｕ）を図４の（ｂ）のように、選択されたパラメータＰ（ｖ）に切り替える。
【００３８】
ここで、操作者が設定項目ｋ(1,1) についてパラメータを変更するためにマークＭ(1,1) を目標にタッチ操作するとき、その下段に表示されている設定項目ｋ(1,2) の現状のパラメータＰ（ｕ）の表示部分の上部に触れる場合があるが、この現状のパラメータの表示部分は、設定項目ｋ(1,2) の操作エリアＥ(1,2) と離間しているので問題ない。
【００３９】
また、逆に、設定項目ｋ(1,2) についてパラメータを変更するために操作エリアＥ(1,2) 内のマークＭ(1,2) をタッチ操作するとき、その上側の設定項目ｋ(1,1) の欄と同じ高さの部分に触れたり、マークＭｋ(1,2) の下側で、設定項目ｋ(1,3) の欄と同じ高さの部分に触れる可能性があるが、操作エリアＥ(1,2) の広い上下の幅のほぼ中段に目標のマークＭ(1,2) が表示されているから、実際にタッチ操作される位置が操作エリアＥ(1,2) の範囲に入る確率が非常に高い。したがって、横方向にずれた上下の操作エリアＥ(1,1) 、Ｅ(1,3) だけでなく、さらにその上下（この例では下側のみ）の設定項目ｋ(1,4) の操作エリアＥ(1,4) に対しても押し間違いを極めて少なくできる。
【００４０】
上記のようにパラメータ設定手段４２によって各設定項目に対してそれぞれパラメータが設定されることになるが、各設定項目とその設定項目それぞれについて設定されたパラメータ（現状のパラメータ）は互いに対応付けされて、設定パラメータ登録手段４３に登録され、測定装置の場合であれば、各設定項目に対して設定されたパラメータに基づいて各種の測定が行なわれることになる。
【００４１】
上記したように、実施形態のパラメータ設定装置２０では、表示器２１の画面上で上下に隣接表示された設定項目に対応するそれぞれの操作エリアを、各設定項目の側方位置で且つ縦方向に非重複となるように横方向にずらして割当て、その横方向にずらされた操作エリア内にタッチ操作の目標となるマークを表示している。
【００４２】
このため、上下に隣接した設定項目の一方に対応する操作エリアと他方に対応する操作エリアが縦方向に非重複な状態で横方向にずれているから、一画面に表示できる設定項目数を減らすことなく、互いに横方向にずれた操作エリア内に表示されたマークを目標にタッチ操作するので、パラメータ設定操作の際の上下の設定項目に関する押し間違いの発生確率を低くすることができる。
【００４３】
また、上下に隣合う設定項目に対する操作エリアが縦方向に非重複で互いに横方向にずれているから、各操作エリアに設定項目の欄の高さより大きな高さ寸法を与えることができ、押し間違いの発生確率をさらに低くすることができる。
【００４４】
前記実施例では、図面による説明が理解しやすいように、設定項目に対応するパラメータ設定のためのマーク表示欄の上下の境界を罫線で示していたが、図５に示すように、各マークが表示される欄の背景を色の濃淡で区別表示すれば、設定項目との対応関係がより把握しやすくなる。
【００４５】
この場合も、マークについての区別表示と同様に、白黒の濃淡だけでなく、青や水色のような色相の違いで区別表示してもよい。また、その区別表示を、設定項目欄の背景に対しても行なってもよい。
【００４６】
また、前記実施形態では、上下に隣接する設定項目に対してそれぞれの操作目標となるマークと現状パラメータの配置を、上段側では、設定項目欄寄り（左寄り）にマークを表示し、その右に現状パラメータを表示し、下段側では、逆に設定項目欄寄り（左寄り）に現状パラメータを表示し、その右にマークを表示していた。
【００４７】
この配置は、上下に隣接する設定項目に対応するそれぞれのマークの表示位置を左右に大きく離間させることができ、押し間違い防止効果が非常に高いが、操作者が上から順にパラメータ設定を行なう際の指の可動範囲が広くなる。
【００４８】
図６は、この点を考慮した配置例であり、現状パラメータの表示位置を設定項目欄寄りに統一し、その右側の領域で操作エリアの割当てとマークの表示位置を交互に横にずらしている。
【００４９】
この配置では、上下のマークが横方向にずれてはいるが、その横方向のずれが少ないので、操作者が上から順にパラメータ設定を行なう際でも指の可動範囲が少なくて済む。この場合でも、各マークの位置は、縦方向に重複しないように横にずれ、設定項目欄の高さより大きな高さに割当てられた操作エリアの中段に表示されているから、押し間違い防止効果が高い。
【００５０】
また、上記実施形態では、パラメータ設定のためのマークが表示される操作エリアを交互に左右にずらしていたが、図７に示すように、上下に連続する設定項目に対する操作エリアを、縦方向に重複しない状態で、上から順に左側、中央、右側というように横にずらしてもよい。この場合には、各操作エリアの高さｈ′は、設定項目の欄の高さｈの最大３倍まで拡げることができ、さらに高い押し間違い防止効果が得られる。
【００５１】
また、前記実施形態では、設定項目１つに対して一種類のパラメータを設定する場合について説明したが、例えば図８の設定項目ｋ(1,2) のように２種類のパラメータＰ、Ｑを設定する場合には、その操作エリアＥ(1,2) 、Ｅ(1,2)′を同一高さに並べ、その操作エリア内にそれぞれのマークＭ(1,2) 、Ｍ(1,2)′を表示することもできる。
【符号の説明】
【００５２】
２０……パラメータ設定装置、２１……表示器、３０……操作パネル、４０……設定項目表示手段、４１……操作エリア割当手段、４２……パラメータ設定手段、４３……設定パラメータ登録手段
【図１】
2015069213.tif 000003
【図２】
2015069213.tif 000004
【図３】
2015069213.tif 000005
【図４】
2015069213.tif 000006
【図５】
2015069213.tif 000007
【図６】
2015069213.tif 000008
【図７】
2015069213.tif 000009
【図８】
2015069213.tif 000010